(57)【要約】【課題】原稿押さえ手段の閉動作検知から所定時間経過後に第２の幅検知動作を行う構成に比べて、第２の幅検知の検知精度を向上させることができる画像読取り装置および画像形成装置を提供する。【解決手段】原稿の画像を読み取る画像読取手段と、原稿を原稿台に向けて押さえる原稿押さえ手段と、原稿押さえ手段が原稿台に接触しない第１の閉じ位置を検知する第１の検知手段と、第１の閉じ位置より原稿台に近い位置である第２の閉じ位置を検知する第２の検知手段と、第１の検知手段による原稿押さえ手段の閉じ動作検知に基づいて原稿の第１の幅検知を行い、更に第２の検知手段による原稿押さえ手段の閉じ動作検知に基づいて所定時間の経過後に第２の幅検知を行なう制御手段と、を備え、制御手段は、所定時間の経過前に画像読み取りの指示を受け付けたときは、所定時間の経過を待たずに第２の幅検知を行い、画像読取処理を開始する。【選択図】図８
2020010153.tif 000002
【特許請求の範囲】
【請求項１】
原稿の画像を読み取る画像読取手段と、
前記原稿を原稿台に向けて押さえる原稿押さえ手段と、
前記原稿押さえ手段が前記原稿台に接触しない第１の閉じ位置を検知する第１の検知手段と、
前記第１の閉じ位置より原稿台に近い位置である第２の閉じ位置を検知する第２の検知手段と、
前記第１の検知手段による前記原稿押さえ手段の閉じ動作検知に基づいて前記原稿の第１の幅検知を行い、更に前記第２の検知手段による前記原稿押さえ手段の閉じ動作検知に基づいて所定時間の経過後に第２の幅検知を行なう制御手段と、を備え、
前記制御手段は、前記所定時間の経過前に画像読み取りの指示を受け付けたときは、前記所定時間の経過を待たずに前記第２の幅検知を行い、画像読取処理を開始する、
ことを特徴とする画像読取り装置。
【請求項２】
前記第１の検知手段及び前記第２の検知手段は、前記原稿押さえ手段の閉じ動作の基点側に設けられている、
ことを特徴とする請求項１に記載の画像読取り装置。
【請求項３】
原稿の画像を読み取る請求項１又は２に記載の画像読取り装置と、
前記画像読取り装置で読み取った画像を記録媒体に記録する画像記録手段と、を備えた、
ことを特徴とする画像形成装置。
【発明の詳細な説明】
【技術分野】
【０００１】
本発明は、画像読取装置および画像形成装置に関する。
【背景技術】
【０００２】
原稿が載置される静止原稿読取部を覆う原稿押さえ手段と、静止原稿読取部の下方を移動して、静止原稿読取部を介して静止原稿読取部上に載置された原稿に走査露光する光源手段と、光源手段から照射され、原稿での反射光を受光して原稿の画像を読み取る撮像手段と、撮像手段からのデータに基づいて主走査方向の原稿幅を検知する幅検知手段と、を有し、原稿押さえ手段の閉じ動作を検知する閉動作検知手段と、閉動作検知手段による原稿押さえ手段の閉動作検知に基づいて、幅検知手段による第１の幅検知動作を行なわせ、更に閉動作検知から所定時間経過後に第２の幅検知動作を行なわせる制御手段と、を備えた画像読取装置が知られている（特許文献１）。
【先行技術文献】
【特許文献】
【０００３】
【特許文献１】特開２００１−０６６７１１号公報
【発明の概要】
【発明が解決しようとする課題】
【０００４】
本発明は、原稿押さえ手段の閉動作検知から所定時間経過後に第２の幅検知動作を行う構成に比べて、第２の幅検知の検知精度を向上させることができる画像読取装置および画像形成装置を提供することを目的とする。
【課題を解決するための手段】
【０００５】
前記課題を解決するために、請求項１に記載の画像読取装置は、
原稿の画像を読み取る画像読取手段と、
前記原稿を原稿台に向けて押さえる原稿押さえ手段と、
前記原稿押さえ手段が前記原稿台に接触しない第１の閉じ位置を検知する第１の検知手段と、
前記第１の閉じ位置より原稿台に近い位置である第２の閉じ位置を検知する第２の検知手段と、
前記第１の検知手段による前記原稿押さえ手段の閉じ動作検知に基づいて前記原稿の第１の幅検知を行い、更に前記第２の検知手段による前記原稿押さえ手段の閉じ動作検知に基づいて所定時間の経過後に第２の幅検知を行なう制御手段と、を備え、
前記制御手段は、前記所定時間の経過前に画像読み取りの指示を受け付けたときは、前記所定時間の経過を待たずに前記第２の幅検知を行い、画像読取処理を開始する、
ことを特徴とする。
【０００６】
請求項２記載の発明は、請求項１に記載の画像読取装置において、
前記第１の検知手段及び前記第２の検知手段は、前記原稿押さえ手段の閉じ動作の基点側に設けられている、
ことを特徴とする。
【０００７】
前記課題を解決するために、請求項３に記載の画像形成装置は、
原稿の画像を読み取る請求項１又は２に記載の画像読取装置と、
前記画像読取装置で読み取った画像を記録媒体に記録する画像記録手段と、を備えた、
ことを特徴とする。
【発明の効果】
【０００８】
請求項１、３に記載の発明によれば、原稿押さえ手段の閉動作検知から所定時間経過後に第２の幅検知動作を行う構成に比べて、第２の幅検知の検知精度を向上させることができることができる。
【０００９】
請求項２に記載の発明によれば、安価な構成で原稿サイズ検知のトリガを得ることができる。
【図面の簡単な説明】
【００１０】
【図１】本実施形態に係る画像読取装置が適用された画像形成装置の内部構成を示す断面模式図である。
【図２】本実施形態に係る画像読取装置の画像読取部の内部構造を示す断面模式図である。
【図３】本実施形態に係る画像読取装置の機能構成の一例を示すブロック図である。
【図４】プラテンカバーの開閉位置とアングルセンサ及びプラテンセンサの検知を説明する図である。
【図５】アングルセンサ及びプラテンセンサの検知の状態を説明する図である。
【図６】黒背景時の原稿サイズ検知をする際のプラテンカバーの開閉位置及び濃度値の変化の様子を示す説明図である。
【図７】白背景時の原稿サイズ検知をする際のプラテンカバーの開閉位置及び濃度値の変化の様子を示す説明図である。
【図８】本実施形態に係る画像読取装置における原稿サイズ検知の動作の流れを示すフローチャートである。
【図９】比較例の画像読取装置における原稿サイズ検知の動作の流れを示すフローチャートである。
【発明を実施するための形態】
【００１１】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１２】
「第１実施形態」
（１）画像読取装置１及び画像形成装置１００の構成
図１は本実施形態に係る画像読取装置１が適用された画像形成装置１００の内部構成を示す断面模式図である。
以下、図面を参照しながら、画像形成装置１００及び画像読取装置１の全体構成及び動作を説明する。
【００１３】
（１．１）画像形成装置１００の全体構成と動作
画像形成装置１００は、原稿Ｓから画像を読み取る画像読取装置１と、読み取った画像を記録媒体としての用紙Ｐに印刷する画像形成部２と、ユーザーインターフェイスとしての操作情報部３と、を備えて構成されている。
画像読取装置１は、画像形成部２を収容する本体部１００Ａとの間に印刷された用紙が排出される空間を形成するように、支持部４によって本体部１００Ａの上側に支持されている。
【００１４】
（１．２）画像読取装置の全体構成及び動作
画像読取装置１は、自動原稿送り部１０と、画像読取部２０と、制御装置３０と、を備えて構成されている。自動原稿送り部１０は、原稿載置台１１に置かれた原稿Ｓを読取位置に搬送し、読み取り後の原稿Ｓを原稿排紙部１２に排出する。
【００１５】
画像読取部２０には、筐体２１の上面に原稿Ｓが載置されるプラテンガラス２２が配置され、筐体２１の内部に、副走査方向（左右方向：Ｘ方向）に往復移動可能に設けられたフルレートキャリッジ２４Ａ、ハーフレートキャリッジ２４Ｂと、副走査方向の折り返し位置の下方に設けられた結像レンズＬ１及びＣＣＤ（Charge Coupled Device）ラインセンサ等のイメージセンサ２５等が配置されて構成されている。
【００１６】
原稿Ｓがプラテンガラス２２上に載置された場合には、フルレートキャリッジ２４Ａ及びハーフレートキャリッジ２４Ｂを副走査方向に順次移動させながら１ラインごとに画像情報を読み取ることにより、原稿Ｓからの反射光をイメージセンサ２５に導いて原稿Ｓ全体の画像を読み取る。
【００１７】
画像読取装置１の前面側には、ユーザーインターフェイスとしての操作情報部３が配置されている。操作情報部３は、液晶表示パネル、各種操作ボタン、タッチパネル等を組み合わせて構成され、画像形成装置１００の使用者は、操作情報部３を介して各種の設定や指示の入力を行う。また、液晶表示パネルを介して画像形成装置１００の使用者へ各種情報を表示する。
【００１８】
（１．３）画像形成部２の全体構成及び動作
画像形成部２は、給紙装置１２０、感光体ユニット１３０、現像装置１４０、転写装置１５０、定着装置１６０を備えて構成され、画像情報を給紙装置１２０から送り込まれた用紙Ｐ上にトナー像として形成する。
【００１９】
画像形成部２の底部には、多数の記録媒体としての用紙Ｐが積載された給紙装置１２０が設けられ、規制板（不図示）で幅方向位置が決められた用紙Ｐは、上側から１枚ずつ用紙引き出し部１２２により側方（−Ｘ方向）に引き出された後、レジストローラ対１２３のニップ部まで搬送される。
【００２０】
感光体ユニット１３０は、給紙装置１２０の上方（Ｚ方向）に、それぞれが並列して設けられ、回転駆動する像保持体としての感光体ドラム１３１を備えている。それぞれの感光体ドラム１３１上にはそれぞれの現像装置１４０によってイエロー（Ｙ）、マゼンタ（Ｍ）、シアン（Ｃ）、黒（Ｋ）のトナー像が形成される。
【００２１】
各感光体ユニット１３０の感光体ドラム１３１に形成された各色トナー像は、転写装置１５０の中間転写ベルト１５１上に順次静電転写（一次転写）され、各色トナーが重畳された重畳トナー像が形成される。中間転写ベルト１５１上の重畳トナー像は、レジストローラ対１２３から送り出され、搬送ガイドにより案内された用紙Ｐに中間転写ベルト１５１上に一括転写される。
【００２２】
転写装置１５０においてトナー像が一括転写された用紙Ｐは、トナー像が未定着の状態で搬送ガイドを経由して定着装置１６０に搬送され、一対の定着ローラ１６１と加圧ローラ１６２により、圧着と加熱の作用でトナー像が定着される。
定着トナー像が形成された用紙Ｐは、画像形成部２上面へ排出される。
【００２３】
（２）画像読取装置１の構成
図２は画像読取装置１の画像読取部２０の内部構造を示す断面模式図である。
【００２４】
（２．１）画像読取部２０の構成
筐体２１の上部にはプラテンガラス２２が取り付けられ、プラテンガラス２２上においては、読み取り対象となる原稿Ｓが、そのプラテンガラス２２の一隅に寄せて載置されるようになっている。
【００２５】
筐体２１上には、プラテンガラス２２を開閉自在に覆う原稿押さえ用のプラテンカバー２３が開閉可能に取り付けられている。
プラテンカバー２３は、その一端がヒンジ等によって支持されているとともに、その一面側に白色板等からなる原稿押さえクッション２３ａが設けられており、閉じた状態で原稿押さえクッション２３ａがプラテンガラス２２上の原稿Ｓを上方から押さえるようになっている。
また、プラテンカバー２３の近傍には、そのプラテンカバー２３が所定の角度（閉じかけの状態：半閉）になったことを検知するアングルセンサＳ１と、そのプラテンカバー２３が閉じた（全閉）ことを検知するプラテンセンサＳ２とが配設されている。
【００２６】
プラテンガラス２２の下方には、プラテンガラス２２上の原稿Ｓを照射するランプＨと第１ミラーＭ１によって構成された第１の光学系を保持するフルレートキャリッジ２４Ａが配置されている。
フルレートキャリッジ２４Ａは、ランプＨ及び第１ミラーＭ１とともに第１のレール（不図示）に案内されて副走査方向（Ｘ方向）に１走査ラインずつ移動し、原稿Ｓからの反射光を第２の光学系へ出射する。
【００２７】
ランプＨは、主走査方向（Ｙ方向）に沿うライン状の光をプラテンガラス２２上の原稿Ｓに向けて照射するもので、その原稿Ｓからの反射光が図中一点鎖線で示すように第１ミラーＭ１、第２ミラーＭ２及び第３ミラーＭ３によって順に反射される。結像レンズＬ１は、第３ミラーＭ３によって反射された光を所定の倍率でイメージセンサ２５の受光面に結像させる。イメージセンサ２５は、原稿Ｓの画像を読み取るための読み取りセンサとなるもので、原稿Ｓからの反射光に応じたアナログの画像信号を生成する。
【００２８】
また、筐体２１内には、プラテンガラス２２上の原稿Ｓの副走査方向（Ｘ方向）の定型サイズを検知するＡＰＳ（Auto Paper Selector）センサＳ３が配設されている。さらに、筐体２１内には、これらの各部の動作制御およびイメージセンサ２５及びＡＰＳセンサＳ３で得られた電気信号に対する所定の信号処理を行うために、制御手段としての制御装置３０（不図示  図３参照）が配設されている。
【００２９】
フルレートキャリッジ２４Ａの近傍には、一対の第２、第３ミラーＭ２、Ｍ３によって構成された第２の光学系を保持するハーフレートキャリッジ２４Ｂが配置されている。第２、第３ミラーＭ２、Ｍ３は互いに直角をなすように配置されている。また、第２ミラーＭ２は、第１ミラーＭ１と平行に配置されている。
【００３０】
ハーフレートキャリッジ２４Ｂは、フルレートキャリッジ２４Ａに連動し、第２のレール（不図示）に案内されながら副走査方向に沿って往復移動可能に構成され、第１ミラーＭ１によって副走査方向（Ｘ方向）に反射された光を第２ミラーＭ２で垂直方向（Ｚ方向）に反射させ、その反射光を第３ミラーＭ３で再び水平方向（Ｘ方向）に反射させる。
【００３１】
このように構成される画像読取部２０においては、フルレートキャリッジ２４Ａ及びハーフレートキャリッジ２４Ｂは、原稿画像の読取位置からイメージセンサ２５までの光路長が一定となるようにキャリッジモータＭ（不図示  図３参照）によって駆動され、ハーフレートキャリッジ２４Ｂはフルレートキャリッジ２４Ａの移動速度Ｖに対し半分の移動速度Ｖ／２で同方向に移動する。ここで、図２は、フルレートキャリッジ２４Ａが副走査方向における折り返し位置に移動したときのフルレートキャリッジ２４Ａ、ハーフレートキャリッジ２４Ｂを二点鎖線で示している。
【００３２】
（２．２）画像読取部の機能構成
図３は画像読取装置１の機能構成の一例を示すブロック図である。
画像読取装置１は、イメージセンサ２５で得られた電気信号に対してサンプルホールド、ゲインコントロール、オフセットコントロール等の処理を行うアナログ処理部３１と、当該処理後のアナログ信号をデジタル信号に変換するＡＤ変換部３２と、そのデジタル信号に対してシェーディング補正を行うシェーディング補正部３３と、原稿Ｓの第１の幅検知を行う第１原稿サイズ検知部３４と、第２の幅検知を行う第２原稿サイズ検知部３５と、原稿サイズ判定部３６と、制御部３７と、を含む制御装置３０を備え、制御装置３０は、メモリに記憶された制御プログラムを実行して、画像読取装置１の動作制御を行う。
【００３３】
第１原稿サイズ検知部３４および第２原稿サイズ検知部３５は、イメージセンサ２５による読み取り結果、すなわちシェーディング補正部３３でのシェーディング補正後のデジタル信号を基に、プラテンガラス２２上に載置された原稿Ｓの主走査方向（Ｙ方向）の原稿サイズを検知するものである。なお、第１原稿サイズ検知部３４と第２原稿サイズ検知部３５とは、互いに異なるアルゴリズムを用いて原稿サイズ検知を行うようになっている。
【００３４】
原稿サイズ判定部３６は、第１および第２原稿サイズ検知部３４、３５の検知結果から最終的な原稿サイズを決定する。
【００３５】
制御部３７は、アングルセンサＳ１およびプラテンセンサＳ２によって検知されるプラテンカバー２３の開閉状態や原稿サイズ検知開始コマンド等を、第１および第２原稿サイズ検知部３４、３５並びに原稿サイズ判定部３６に通知するものである。なお、制御部３７には、アングルセンサＳ１、プラテンセンサＳ２、ＡＰＳセンサＳ３及び操作情報部３を介してスタートボタン（不図示）から信号出力が入力されるようになっている。
【００３６】
（２．３）原稿サイズ検知
図４はプラテンカバー２３の開閉位置とアングルセンサＳ１およびプラテンセンサＳ２の検知を説明する図、図５はアングルセンサＳ１及びプラテンセンサＳ２の検知の状態を示す図、図６は黒背景時の原稿サイズ検知をする際のプラテンカバー２３の開閉位置及び濃度値の変化の様子を示す説明図、図７は白背景時の原稿サイズ検知をする際のプラテンカバー２３の開閉位置及び濃度値の変化の様子を示す説明図である。
以下、画像読取装置１において、プラテンガラス２２上に載置された原稿Ｓの原稿サイズを判定する場合の処理動作の概要について説明する。
【００３７】
アングルセンサＳ１およびプラテンセンサＳ２は、プラテンカバー２３の開閉状態を検出するものである。アングルセンサＳ１およびプラテンセンサＳ２の棒状のアクチュエータ部２９は、プラテンガラス２２から所定の寸法だけ上方に突出した状態で、ばね部材ＳＲで常に上方（Ｚ方向）に突出するように付勢されて配置されている。
そして、プラテンカバー２３を閉じる際にプラテンカバー２３に押下されることで、プラテンカバー２３の開閉状態を検出する。
【００３８】
具体的には、アングルセンサＳ１およびプラテンセンサＳ２で検出可能なプラテンカバー開閉状態としては、プラテンカバー２３が全開している状態（Ａ：全開  図４（ａ）参照）、第１の閉じ位置であるプラテンカバー２３が閉じかけている状態（Ｂ：半開  図４（ｂ）参照）、第２の閉じ位置であるプラテンカバー２３が閉じている状態（Ｃ：全閉  図４（ｃ）参照）の３つがあり、必要に応じて異常状態（図４（ｄ）参照）を検出し得るようになっている。
【００３９】
画像読取装置１においては、状態Ａ（全開）では、アクチュエータ部２９はプラテンカバー２３に押圧されることなく最も上方に突出した状態で、アングルセンサＳ１がＯＮ（遮光）、プラテンセンサＳ２がＯＦＦ（非遮光）となる。
状態Ｂ（半開）では、アクチュエータ部２９は閉じかけのプラテンカバー２３に押圧されて下方に下がりかけた状態で、アングルセンサＳ１がＯＦＦ（非遮光）、プラテンセンサＳ２がＯＦＦ（非遮光）となる（第１の閉じ位置検知）。
状態Ｃ（全閉）では、アクチュエータ部２９はプラテンガラス２２を覆うように閉じかけのプラテンカバー２３に押圧されて下方に下がった状態で、アングルセンサＳ１がＯＦＦ（非遮光）、プラテンセンサＳ２がＯＮ（遮光）となる（第２の閉じ位置検知）。尚、アングルセンサＳ１及びプラテンセンサＳ２がいずれもＯＮ（遮光）になることは、通常であればあり得ない状態であり、異常と判断される。
【００４０】
このように、アングルセンサＳ１及びプラテンセンサＳ２がプラテンカバー２３の開閉の基端側に設けられ、プラテンカバー２３の開閉動作に伴って移動する共通のアクチュエータ部２９による遮光、非遮光をトリガとしてプラテンカバー２３の開閉状態を安価な構成で検知することができる。
【００４１】
図６に示すように、プラテンカバー２３が全開状態（図６中  Ａ参照）から半閉状態（図６中  Ｂ参照）になって第１の閉じ位置になると、第１原稿サイズ検知部３４は、ランプＨを点灯させて反射光をイメージセンサ２５によって検知する。
検知された画像は、図５に示すように原稿Ｓの部分は原稿Ｓで反射されるために濃度値が小さく（白：原稿の色）なり、原稿Ｓ以外の部分は開放されているため無反射となり濃度値が大きく（黒：黒背景）となる。また、これとほぼ同時にＡＰＳセンサＳ３を作動させ、副走査方向の原稿Ｓの幅（長さ）を検知する。これにより、第１の幅検知としての黒背景時の原稿エッジ検出を行う。
【００４２】
プラテンカバー２３が更に閉じられて、プラテンカバー２３が半閉状態（図６中  Ｂ参照）から全閉状態（図６中  Ｂ参照）になり第２の閉じ位置になると、所定時間経過した後、黒検知（白背景時）のためのランプＨの点灯を行なわせる。この黒検知の開始は、プラテンカバー２３が完全に閉じてから行なわせるような時間設定になっており、例えば、状態Ｃ（全閉）が検知されてから２秒後程度とする。なお、時間はこれに限るものではない。
第２原稿サイズ検知部３５においては、プラテンカバー２３の裏面が通常の原稿Ｓと同様に白色に形成してあることから、全体が原稿Ｓと同等の色彩となり、仮に原稿Ｓの周囲に黒の縁取り等がある場合は図６に示すように部分的に濃度値が高く検知され、また、原稿Ｓが色原稿である場合には、原稿Ｓの領域が濃度値が高く検知される。これにより、第２の幅検知としての白背景時の原稿エッジ検出を行う。
【００４３】
原稿サイズ判定部３６は、第１原稿サイズ検知部３４による黒背景時の原稿エッジ検出と第２原稿サイズ検知部３５による白背景時の原稿エッジ検出を組み合わせることにより、主走査方向の原稿Ｓの幅を、原稿Ｓの周囲に縁取りがある場合や色原稿である場合でも正確に検知することができる。
【００４４】
（２．４）原稿サイズ検知の動作
図８は本実施形態に係る画像読取装置１における原稿サイズ検知の動作の流れを示すフローチャート、図９は第２の閉じ位置を検知してから所定時間後に第２の幅検知を行う比較例の画像読取装置２００における原稿サイズ検知の動作の流れを示すフローチャートである。
以下、フローチャートを参照しながら、画像読取装置１における原稿サイズ検知の動作について説明する。
【００４５】
比較例の画像読取装置２００においては、プラテンカバー２３が状態Ａ（全開）から状態Ｂ（半開：第１の閉じ位置）になると、アングルセンサＳ１がＯＮ（遮光）からＯＦＦ（非遮光）となるので（Ｓ２０１：Ｙｅｓ）、制御部３７は、これに応じてランプＨを点灯させる（Ｓ２０２）。そして、ランプＨの照射光量が安定するのを待つため、点灯開始から５ｍｓの間ウエイトする（Ｓ２０３）。
【００４６】
ランプＨの点灯開始から５ｍｓ経過すると、制御部３７は、第１原稿サイズ検知部３４に対して原稿サイズ検知のコマンドを送出する（Ｓ２０４）。これにより、第１原稿サイズ検知部３４は、プラテンカバー２３が半開状態（Ｂ状態）における主走査方向の原稿サイズ検知（黒背景時の原稿エッジ検出）を行う（Ｓ２０５）。
【００４７】
その後、プラテンカバー２３が閉じられる（第２の閉じ位置）と、アングルセンサＳ１がＯＦＦ（非遮光）、プラテンセンサＳ２がＯＮ（遮光）となる（Ｓ２０６：Ｙｅｓ）ので、制御部３７は所定時間の経過を待って（Ｓ２０７）、第２原稿サイズ検知部３５に対して原稿サイズ検知のコマンドを送出する（Ｓ２０８）。
これにより、第２原稿サイズ検知部３５は、プラテンカバー２３が閉状態（Ｃ状態）における主走査方向の原稿サイズ検知（白背景時の原稿エッジ検出）を行うと同時に白背景でのＡＰＳセンサＳ３のセンサレベルを取得する（Ｓ２０９）。その後ランプＨをＯＦＦにする（Ｓ２１０）。
【００４８】
プラテンカバー２３の半閉状態（Ｂ状態）と全閉状態（Ｃ状態）とのそれぞれについて、第１および第２原稿サイズ検知部３４、３５が原稿エッジ検出を行うと、原稿サイズ判定部３６は、それぞれの検知結果から最終的な原稿サイズを判定し、その判定結果をプラテンガラス２２上の原稿Ｓのサイズとして決定する（Ｓ２１１）。
【００４９】
このように、第２原稿サイズ検知部３５は、第２の閉じ位置が検知されたあと、所定時間経過後に白背景時の原稿エッジ検出を行うことで、例えばプラテンカバー２３が閉状態よりもやや開いた状態で第２の閉じ位置が検知された場合であっても、プラテンカバー２３が確実に閉状態で原稿サイズ検知を行うようになっている。
一方、所定時間経過前に、読み取り指示を受け付けた場合には、第２原稿サイズ検知部３５による原稿サイズ検知（白背景時の原稿エッジ検出）が行われないことになり、原稿サイズ検知が正確に実施されない虞があった。
【００５０】
本実施形態に係る画像読取装置１は、第２の閉じ位置が検知された後、所定時間経過前に読み取り指示を受け付けた場合には、第２原稿サイズ検知部３５で白背景時の原稿エッジ検出を行い、原稿サイズ判定部３６は、第１原稿サイズ検知部３４による黒背景時の原稿エッジ検出と第２原稿サイズ検知部３５による白背景時の原稿エッジ検出により原稿サイズを判定した後、画像読取処理を開始する。
【００５１】
制御部３７は、プラテンカバー２３が状態Ａ（全開）で、操作情報部３を介してコピー又はスキャンのスタートボタン（不図示）から信号出力が入力されたことによる原稿サイズ要求がない場合（Ｓ１０１：Ｎｏ）、プラテンカバー２３が状態Ａ（全開）から状態Ｂ（半開）になったか否か判断する（Ｓ１０２）。具体的には、アングルセンサＳ１がＯＦＦ（非遮光）、プラテンセンサＳ２がＯＦＦ（非遮光）となって、第１の閉じ位置が検知されたか否か判断する。
【００５２】
第１の閉じ位置が検知された場合（Ｓ１０２：Ｙｅｓ）、黒背景でのＡＰＳセンサＳ３のセンサレベルを取得する（Ｓ１０３）。これにより、原稿Ｓの副走査方向の幅（長さ）を検知する。そして、アングルセンサＳ１の検知に対する一定の待ち時間（〜１５０ｍｓ）経過後（Ｓ１０４）、ランプＨを点灯（ＯＮ）して（Ｓ１０５）、第１原稿サイズ検知部３４で黒背景時の原稿エッジの検出を行う（Ｓ１０６）。その後ランプＨをＯＦＦする（Ｓ１０７）。
【００５３】
そして、制御部３７は、再度、原稿サイズ要求の有無を判断し（Ｓ１０８）、原稿サイズ要求がない場合（Ｓ１０８：Ｎｏ）、プラテンカバー２３が状態Ａ（全開）か否か判断する（Ｓ１０９）。すなわち、制御部３７は、プラテンカバー２３が状態Ｂ（半開）の場合には、常にプラテンカバー２３が状態Ａ（全開）ではないかチェックする。
【００５４】
プラテンカバー２３が状態Ａ（全開）ではない場合（Ｓ１０９：Ｎｏ）、次に、プラテンカバー２３が状態Ｃ（全閉）になったか否か判断する（Ｓ１１０）。プラテンカバー２３が状態Ｃ（全閉）になっている場合（Ｓ１１０：Ｙｅｓ）、制御部３７は、所定時間経過後に第２原稿サイズ検知部３５による白背景時の原稿エッジ検出を行うようにタイマーをＯＮにして（Ｓ１１１）、プラテンカバー２３が状態Ｃ（全閉）であるか判定する（Ｓ１１２）。この全閉判定は、例えば、１０ｍｓ間隔で実施し、プラテンカバー２３が状態Ｃ（全閉）であるか判定する（Ｓ１１２）。
【００５５】
プラテンカバー２３が状態Ｃ（全閉）である場合（Ｓ１１２：Ｙｅｓ）、アングルセンサＳ１の検知に対する待ち時間（〜１５０ｍｓ）経過後（Ｓ１１３）、原稿サイズ要求の有無を判断し（Ｓ１１４）、原稿サイズ要求がある場合（Ｓ１１４：Ｙｅｓ）には、すなわち、所定時間経過前に読み取り指示を受け付けた場合には、白背景時の原稿エッジの検出を行うために、ランプＨを点灯（ＯＮ）する（Ｓ１１５）。このとき、ランプＨの照射光量が安定するのを待つために、点灯開始から、例えば２５ｍｓの間ウエイトする。
【００５６】
ランプＨの点灯から２５ｍｓ経つと、制御部３７は、第２原稿サイズ検知部３５に対して原稿サイズ検知のコマンドを送出し、白背景時の原稿エッジの検出を行うと同時に白背景でのＡＰＳセンサＳ３のセンサレベルを取得する（Ｓ１１６）。その後ランプＨをＯＦＦする（Ｓ１１７）。
【００５７】
そして、原稿サイズ判定部３６は、黒背景時の原稿エッジの検出結果、白背景時の原稿エッジの検出結果及びＡＰＳセンサＳ３の検知結果から最終的な原稿サイズを判定し、その判定結果をプラテンガラス２２上の原稿Ｓのサイズとして決定する（Ｓ１１８）。
決定した原稿サイズ情報は制御部３７へ送信して（Ｓ１２５）、ＡＰＳセンサＳ３をＯＦＦにする（Ｓ１２６）。
【００５８】
また、ステップ１１４で原稿サイズ要求がなかった場合（Ｓ１１４：Ｎｏ）、すなわち、所定時間経過前に読み取り指示がなかった場合には、通常の白背景時の原稿エッジの検出を行うために、ウエイトの終了を待って（Ｓ１１９）、ランプＨを点灯（ＯＮ）して（Ｓ１２０）する。このとき、ランプＨの照射光量が安定するのを待つために、点灯開始から、例えば２５ｍｓの間ウエイトする。
そして、ランプＨの点灯から２５ｍｓ経つと、制御部３７は、第２原稿サイズ検知部３５に対して原稿サイズ検知のコマンドを送出し、白背景時の原稿エッジの検出を行うと同時に白背景でのＡＰＳセンサＳ３のセンサレベルを取得し（Ｓ１２１）、その後ランプＨをＯＦＦする（Ｓ１２２）。
【００５９】
そして、原稿サイズ判定部３６は、黒背景時の原稿エッジの検出結果、白背景時の原稿エッジの検出結果及びＡＰＳセンサ２６の検知結果から最終的な原稿サイズを判定し、その判定結果をプラテンガラス２２上の原稿Ｓのサイズとして決定する（Ｓ１２３）。
そして、更に原稿サイズ要求の有無を判断し（Ｓ１２４）、原稿サイズ要求がある場合（Ｓ１２４：Ｙｅｓ）、決定した原稿サイズ情報を制御部３７へ送信して（Ｓ１２５）、ＡＰＳセンサＳ３をＯＦＦにする（Ｓ１２６）。
【００６０】
尚、ステップ１０１でプラテンカバー２３が状態Ａ（全開）で原稿サイズ要求があった場合（Ｓ１０１：Ｙｅｓ）には、黒背景時の原稿エッジの検出を行うために、ランプＨを点灯（ＯＮ）して（Ｓ１２７）、黒背景時の原稿エッジの検出を行うと同時に黒背景でのＡＰＳセンサＳ３のセンサレベルを取得する（Ｓ１２８）。その後ランプＨをＯＦＦする（Ｓ１２９）。
そして、原稿サイズ判定部３６は、黒背景時の原稿エッジの検出結果及びＡＰＳセンサ２６の検知結果から原稿サイズを判定し、その判定結果をプラテンガラス２２上の原稿Ｓのサイズとして決定する（Ｓ１３０）。
【００６１】
このように、第２の幅検知の精度向上のために第２の閉じ位置検知から第２の幅検知処理までに所定時間のウエイトを設けた構成において、第２の閉じ位置がされた後、所定時間経過前に読み取り指示を受け付けた場合（Ｓ１１４：Ｙｅｓ）には、所定時間経過前に第２原稿サイズ検知部３５で白背景時の原稿エッジ検出を行う（Ｓ１１６）ことで、第２の幅検知の検知精度を向上させることができることができる。
【符号の説明】
【００６２】
１００・・・画像形成装置
１・・・画像読取装置
２２・・・プラテンガラス
２３・・・プラテンカバー
２５・・・イメージセンサ
２９・・・アクチュエータ部
Ｓ１・・・アングルセンサ
Ｓ２・・・プラテンセンサ
Ｓ３・・・ＡＰＳセンサ
３０・・・制御装置
３１・・・アナログ処理部
３２・・・ＡＤ変換部
３３・・・シェーディング補正部
３４・・・第１原稿サイズ検知部
３５・・・第２原稿サイズ検知部
３６・・・原稿サイズ判定部
３７・・・制御部
２・・・画像形成部
３・・・操作情報部
【図１】
2020010153.tif 000003
【図２】
2020010153.tif 000004
【図３】
2020010153.tif 000005
【図４】
2020010153.tif 000006
【図５】
2020010153.tif 000007
【図６】
2020010153.tif 000008
【図７】
2020010153.tif 000009
【図８】
2020010153.tif 000010
【図９】
2020010153.tif 000011